(57)【要約】【課題】偏光サングラスをかけた搭乗者の画像及び景色の視認性を両立させることができるヘッドアップディスプレイ装置を提供する。【解決手段】ヘッドアップディスプレイ装置１０は、車両２０が備えるウインドシールド２１の内面に取り付けられる反射型偏光板１１と、画像光を発する液晶表示部１２と、第一波長板１３とを備える。反射型偏光板１１は、ウインドシールド２１に入射する外光の一部を透過し、かつ、画像光の少なくとも一部を反射する。反射型偏光板１１を透過した外光の一部、及び、反射型偏光板１１によって反射された画像光の少なくとも一部は、いずれも、第一波長板１３を透過する。【選択図】図２
2019113631.tif 000002
【特許請求の範囲】
【請求項１】
移動体が備えるウインドシールドの内面に取り付けられる反射型偏光板と、
画像光を発する液晶表示部と、
第一波長板とを備え、
前記反射型偏光板は、前記ウインドシールドに入射する外光の一部を透過し、かつ、前記画像光の少なくとも一部を反射し、
前記反射型偏光板を透過した前記外光の一部、及び、前記反射型偏光板によって反射された前記画像光の少なくとも一部は、いずれも、前記第一波長板を透過する
ヘッドアップディスプレイ装置。
【請求項２】
前記反射型偏光板を透過した前記外光の一部、及び、前記反射型偏光板によって反射された前記画像光の少なくとも一部のそれぞれは、直線偏光の偏光状態で前記第一波長板に入射する
請求項１に記載のヘッドアップディスプレイ装置。
【請求項３】
前記液晶表示部が発する前記画像光は、前記第一波長板を透過した後前記反射型偏光板に入射し、少なくとも一部が前記反射型偏光板によって反射された後前記第一波長板を透過する
請求項１または２に記載のヘッドアップディスプレイ装置。
【請求項４】
前記液晶表示部が発する前記画像光の偏光状態は、直線偏光であり、
前記第一波長板を透過した後前記反射型偏光板に入射する前記画像光の偏光状態は、楕円偏光または円偏光である
請求項３に記載のヘッドアップディスプレイ装置。
【請求項５】
さらに、第二波長板を備え、
前記液晶表示部が発する前記画像光は、前記第二波長板を透過した後前記第一波長板を透過し、前記第一波長板を透過した後前記反射型偏光板に入射し、少なくとも一部が前記反射型偏光板によって反射された後前記第一波長板を透過する
請求項１または２に記載のヘッドアップディスプレイ装置。
【請求項６】
前記液晶表示部が発する前記画像光の偏光状態は、直線偏光であり、
前記第二波長板を透過した前記画像光の偏光状態は、楕円偏光または円偏光であり、
前記第一波長板を透過した後前記反射型偏光板に入射する前記画像光の偏光状態は、直線偏光である
請求項５に記載のヘッドアップディスプレイ装置。
【請求項７】
前記第一波長板を透過した前記外光の一部の偏光状態、及び、前記第一波長板を透過した前記画像光の少なくとも一部の偏光状態のそれぞれは、楕円偏光である
請求項１〜６のいずれか１項に記載のヘッドアップディスプレイ装置。
【請求項８】
前記第一波長板を透過した前記外光の一部の偏光状態、及び、前記第一波長板を透過した前記画像光の少なくとも一部の偏光状態のそれぞれは、円偏光である
請求項１〜６のいずれか１項に記載のヘッドアップディスプレイ装置。
【請求項９】
前記第一波長板は、２分の１波長板である
請求項７に記載のヘッドアップディスプレイ装置。
【請求項１０】
前記第一波長板は、４分の１波長板である
請求項７または８に記載のヘッドアップディスプレイ装置。
【請求項１１】
さらに、前記反射型偏光板及び前記第一波長板の間に位置し、前記反射型偏光板及び前記第一波長板を接着する接着部材を備える
請求項１〜１０のいずれか１項に記載のヘッドアップディスプレイ装置。
【請求項１２】
前記反射型偏光板は、多層複屈折フィルムである
請求項１〜１１のいずれか１項に記載のヘッドアップディスプレイ装置。
【請求項１３】
前記液晶表示部は、
バックライトと、
前記バックライトが発する光を空間的に変調させカラーフィルタを介して前記画像光として出射させる液晶パネルとを備え、
前記反射型偏光板の、前記カラーフィルタの透過ピーク波長を含む第一波長域における前記画像光の反射率は、前記反射型偏光板の、前記第一波長域以外の第二波長域における前記画像光の反射率よりも高く、
前記反射型偏光板の前記第二波長域における前記外光の透過率は、前記第一波長域における前記外光の透過率よりも高い
請求項１２に記載のヘッドアップディスプレイ装置。
【請求項１４】
前記反射型偏光板は、前記第一波長域において反射ピークを有し、
前記カラーフィルタの透過ピークの半値幅は、前記反射型偏光板の前記反射ピークの半値幅よりも広い
請求項１３に記載のヘッドアップディスプレイ装置。
【請求項１５】
前記反射型偏光板は、ワイヤグリッド偏光板である
請求項１〜１１のいずれか１項に記載のヘッドアップディスプレイ装置。
【請求項１６】
前記反射型偏光板は、４２０ｎｍ以上４６０ｎｍ以下の波長域の反射率が８０％以上であり、５２０ｎｍ以上５６０ｎｍ以下の波長域の反射率が８０％以上であり、６２０ｎｍ以上６６０ｎｍ以下の波長域の反射率が８０％以上である
請求項１〜１４のいずれか１項に記載のヘッドアップディスプレイ装置。
【請求項１７】
前記反射型偏光板は、４８０ｎｍ以上５００ｎｍ以下の波長域の透過率が８０％以上であり、５８０ｎｍ以上６００ｎｍ以下の波長域の透過率が８０％以上である
請求項１６に記載のヘッドアップディスプレイ装置。
【発明の詳細な説明】
【技術分野】
【０００１】
本開示は、車両などの移動体に搭載されるヘッドアップディスプレイ装置に関する。
【背景技術】
【０００２】
車両などの移動体用の表示装置として、ヘッドアップディスプレイ（Ｈｅａｄ−Ｕｐ  Ｄｉｓｐｌａｙ）装置が知られている。ヘッドアップディスプレイ装置は、例えば、液晶表示装置が出射する画像を構成する光（以下、画像光とも記載される）をウインドシールドの前方に結像させ搭乗者に提示する。このようなヘッドアップディスプレイ装置の一例として、特許文献１には、車両のフロントウインドに反射型偏光板が組み込まれた画像表示装置が開示されている。
【先行技術文献】
【特許文献】
【０００３】
【特許文献１】特開２０１５−３４９１８号公報
【発明の概要】
【発明が解決しようとする課題】
【０００４】
特許文献１のような構成のヘッドアップディスプレイ装置において、反射型偏光板は、例えば、液晶ディスプレイが発する直線偏光の画像光を反射し、かつ、外光のうち上記画像光に対して偏光方向が９０度異なる直線偏光の成分を透過する。そうすると、車両内において偏光サングラスをかけた搭乗者は、画像光及び外光のうちいずれかが見えにくくなる可能性がある。なお、外光が見えにくくなることは、前方の景色が見えにくくなることに相当する。
【０００５】
本開示は、偏光サングラスをかけた搭乗者の画像及び景色の視認性を両立させることができるヘッドアップディスプレイ装置を提供する。
【課題を解決するための手段】
【０００６】
本開示の一態様に係るヘッドアップディスプレイ装置は、移動体が備えるウインドシールドの内面に取り付けられる反射型偏光板と、画像光を発する液晶表示部と、第一波長板とを備え、前記反射型偏光板は、前記ウインドシールドに入射する外光の一部を透過し、かつ、前記画像光の少なくとも一部を反射し、前記反射型偏光板を透過した前記外光の一部、及び、前記反射型偏光板によって反射された前記画像光の少なくとも一部は、いずれも、前記第一波長板を透過する。
【発明の効果】
【０００７】
本開示によれば、偏光サングラスをかけた搭乗者の画像及び景色の視認性を両立させることができるヘッドアップディスプレイ装置が実現される。
【図面の簡単な説明】
【０００８】
【図１】図１は、実施の形態１に係るヘッドアップディスプレイ装置の構成を示す第一の図である。
【図２】図２は、実施の形態１に係るヘッドアップディスプレイ装置の構成を示す第二の図である。
【図３】図３は、第一波長板及び反射型偏光板の接着構造、並びに、反射型偏光板及びウインドシールドの層構成を示す図である。
【図４】図４は、比較例に係るヘッドアップディスプレイ装置の構成を示す図である。
【図５】図５は、実施の形態２に係るヘッドアップディスプレイ装置の詳細構成を示す図である。
【図６】図６は、カラーフィルタの透過率を示す図である。
【図７】図７は、波長依存特性を有する反射型偏光板の、画像光の反射率、及び、外光の透過率を示す図である。
【図８】図８は、波長依存特性を有する反射型偏光板の、画像光の反射率を示す別の図である。
【発明を実施するための形態】
【０００９】
以下、実施の形態にについて、図面を参照しながら説明する。なお、以下で説明する実施の形態は、いずれも包括的または具体的な例を示すものである。以下の実施の形態で示される数値、形状、材料、構成要素、構成要素の配置位置及び接続形態などは、一例であり、本開示を限定する主旨ではない。また、以下の実施の形態における構成要素のうち、最上位概念を示す独立請求項に記載されていない構成要素については、任意の構成要素として説明される。
【００１０】
なお、各図は模式図であり、必ずしも厳密に図示されたものではない。また、各図において、実質的に同一の構成に対しては同一の符号を付しており、重複する説明は省略または簡略化される場合がある。
【００１１】
（実施の形態１）
［構成］
以下、実施の形態１に係るヘッドアップディスプレイ装置の構成について図面を用いて説明する。図１及び図２は、実施の形態１に係るヘッドアップディスプレイ装置の構成を示す図である。
【００１２】
図１及び図２に示されるように、実施の形態１に係るヘッドアップディスプレイ装置１０は、反射型偏光板１１と、液晶表示部１２と、第一波長板１３とを備える。ヘッドアップディスプレイ装置１０は、例えば、透光性を有するウインドシールドを備える車両２０の内部に設けられる。車両２０は、移動体の一例である。ウインドシールド２１は、言い換えれば、フロントガラスである。
【００１３】
ヘッドアップディスプレイ装置１０が備える液晶表示部１２は、車両２０のウインドシールド２１に向けて画像光を発する。そうすると、ウインドシールド２１に画像３０が表示される。車両内の搭乗者４０は、前方の風景に画像が重畳されているように知覚する。この画像は、例えば、スピードメータなどの車両の状態を示すオブジェクトであるが、矢印などの車両をナビゲートするためのオブジェクトであってもよく、特に限定されない。以下、ヘッドアップディスプレイ装置１０の各構成要素について説明する。
【００１４】
反射型偏光板１１は、車両２０が備えるウインドシールド２１の内面に、当該内面に沿った状態で取り付けられるシート状の光学素子である。反射型偏光板１１は、例えば、ウインドシールド２１の内面の一部にのみ選択的に取り付けられる。
【００１５】
反射型偏光板１１は、第一方向を偏光方向とする第一直線偏光の光を反射し、第一方向と直交する第二方向を偏光方向とする第二直線偏光の光を透過する光学素子である。偏光方向は、言い換えれば、振動方向である。第一直線偏光は、例えば、Ｐ偏光及びＳ偏光の一方であり、第二直線偏光は、例えば、Ｐ偏光及びＳ偏光の他方である。反射型偏光板１１は、例えば、多層複屈折フィルムであるが、ワイヤグリッド偏光板であってもよい。
【００１６】
反射型偏光板１１は、その構造を調整することで全光線を透過する完全透明体から、第一直線偏光を略１００％（入射光が外光（自然光）の場合入射光全体の略５０％）を反射し、かつ、第二直線偏光を略１００％（入射光が外光の場合入射光全体の略５０％）を透過する反射型偏光板まで、アナログ的に調整することが可能である。
【００１７】
ヘッドアップディスプレイ装置１０においては、液晶表示部１２が発する画像光は、第一直線偏光の光であり、画像光が直接反射型偏光板１１に入射すると、その一部は偏光反射率に応じて選択的に反射される。一方、ウインドシールド２１に入射する外光のうち、第二直線偏光の成分は、反射型偏光板１１を略１００％透過し、第一直線偏光は１００％から偏光反射率を減じた割合の光が透過する。このように、反射型偏光板１１は、ウインドシールド２１に入射する外光の一部を透過し、かつ、画像光の少なくとも一部を反射する特性を有する。
【００１８】
液晶表示部１２は、反射型偏光板１１に向けて画像光を発する。液晶表示部１２は、具体的には、車両２０のダッシュボード２２に取り付けられ、液晶表示部１２の上方に位置する、ウインドシールド２１、反射型偏光板１１、及び、第一波長板１３の積層構造に向けて画像光を発する。液晶表示部１２は、例えば、ヘッドアップディスプレイ装置１０の専用表示装置であるが、スマートフォンまたはタブレット端末などの汎用の携帯端末が液晶表示部１２として利用されてもよい。液晶表示部１２は、主として、バックライト１２ａ及び液晶パネル１２ｂを備える。
【００１９】
バックライト１２ａは、白色光を発する光源である。バックライト１２ａは、エッジライト型のバックライトであってもよいし、直下型のバックライトであってもよい。バックライト１２ａが発する光は、液晶パネル１２ｂを透過する。
【００２０】
液晶パネル１２ｂは、バックライト１２ａと対向配置され、液晶層が電気的に制御されることによりバックライト１２ａが発する光を空間的に変調して画像光として出射する。画像光は、直線偏光の光である。液晶パネル１２ｂは、カラーフィルタ１２ｃを含む。
【００２１】
カラーフィルタ１２ｃは、カラーフィルタ１２ｃを透過したバックライト１２ａからの光に色彩を与える光学素子である。カラーフィルタ１２ｃは、例えば、複数の画素領域がマトリクス状に配置された構造を有し、複数の画素領域のそれぞれは、青色領域、緑色領域、及び、赤色領域を含む。また、カラーフィルタ１２ｃは、青色領域、緑色領域、及び、赤色領域の境界部にブラックマトリクス領域を含む。
【００２２】
なお、液晶パネル１２ｂは、通常、液晶パネル１２ｂの上面側に位置する上偏光板、及び、液晶パネルの下面側（つまり、バックライト１２ａ側）に位置する下偏光板を含む。ヘッドアップディスプレイ装置１０においては、反射型偏光板１１が設けられているため、上偏光板を省略しても画像の表示を実現することができる。上偏光板が省略されれば、上偏光板において生じる光のロスを軽減することができる。
【００２３】
第一波長板１３は、当該第一波長板１３に入射する入射光の互いに直交する２つの偏光成分に位相差を与えるシート状の光学素子である。第一波長板１３は、液晶表示部１２から反射型偏光板１１へ向かう画像光の光路上、及び、反射型偏光板１１から搭乗者４０の位置へ向かう画像光の光路上に位置する。同様に、第一波長板１３は、車両２０の外部から車両２０の内部の搭乗者４０の位置へ向かう外光の光路上に位置する。ヘッドアップディスプレイ装置１０においては、第一波長板１３は、液晶表示部１２及び反射型偏光板１１の間に位置するが、反射ミラーなどが配置されることにより、第一波長板１３が液晶表示部１２及び反射型偏光板１１の間に位置しなくてもよい。
【００２４】
第一波長板１３は、例えば、入射光の互いに直交する２つの偏光成分に４分の１波長の位相差を与える４分の１波長板である。第一波長板１３は、入射光の互いに直交する２つの偏光成分に２分の１波長の位相差を与える２分の１波長板など、その他の波長板であってもよい。波長板は、言い換えれば、位相差板である。
【００２５】
図３は、第一波長板１３及び反射型偏光板１１の層構成を示す図である。
【００２６】
図３に示されるように、接着部材１４ａは、反射型偏光板１１及び第一波長板１３の間に位置し、反射型偏光板１１及び第一波長板１３を接着する。また、接着部材１４ｂは、ウインドシールド２１及び反射型偏光板１１の間に位置し、ウインドシールド２１及び反射型偏光板１１を接着する。言い換えれば、反射型偏光板１１の一方の主面は、接着部材１４ｂによってウインドシールド２１の内面に接着され、反射型偏光板の他方の主面は、接着部材１４ａによって第一波長板１３に接着される。接着部材１４ａ及び接着部材１４ｂのそれぞれは、例えば、透光性を有する接着シートである。なお、図３に示す例では、第一波長板１３、反射型偏光板１１及びウインドシールド２１は、隣り合う２つの間に接着部材を介して張り合わされた例を示したが、第一波長板１３、反射型偏光板１１及びウインドシールド２１は、隣り合う２つの間に隙間を空けて積層されていてもよい。
【００２７】
［偏光状態］
ヘッドアップディスプレイ装置１０では、偏光サングラスをかけた搭乗者４０の画像及び景色の視認性を両立させることができる。以下、このような効果が得られる理由について、ヘッドアップディスプレイ装置１０における光の偏光状態を、比較例に係るヘッドアップディスプレイの偏光状態と比較しながら説明する。図４は、比較例に係るヘッドアップディスプレイ装置の構成を示す図である。
【００２８】
まず、図４に示される比較例に係るヘッドアップディスプレイ装置１１０における、画像光の偏光状態について説明する。ヘッドアップディスプレイ装置１１０は、ヘッドアップディスプレイ装置１０において第一波長板１３が省略された構成を有する。液晶表示部１２が発する画像光Ｌ１ａの偏光状態は、第一直線偏光であり、反射型偏光板１１は、第一直線偏光の光を反射するような姿勢でウインドシールド２１の内面に取り付けられている。なお、外光は、樹木等で反射されると偏光方向がＳ偏光に片寄る。このような光を反射する場合、反射型偏光板１１は、第一直線偏光をＳ偏光とし、Ｓ偏光を反射するような姿勢でウインドシールド２１の内面に取り付けられればよい。
【００２９】
この場合、反射型偏光板１１は、第一直線偏光の光を反射型偏光板１１の偏光反射率に応じて反射する。つまり、反射型偏光板１１によって反射されて搭乗者４０の位置に到達する画像光Ｌ１ｂの偏光状態は、第一方向を偏光方向とする第一直線偏光である。搭乗者４０の位置は、車両２０内部の所定位置の一例である。
【００３０】
次に、比較例に係るヘッドアップディスプレイ装置１１０における、外光の偏光状態について説明する。反射型偏光板１１は、ウインドシールド２１に入射する外光Ｌ２ａの一部を透過する。外光Ｌ２ａの偏光状態は、ランダムであり、反射型偏光板１１は、外光Ｌ２ａのうち第二方向を偏光方向とする第二直線偏光の成分である外光Ｌ２ｂを透過する。上述のように、第二方向は、第一方向と直交する。
【００３１】
この場合、反射型偏光板１１を透過して搭乗者４０の位置に到達する外光Ｌ２ｂの偏光状態は、第二直線偏光である。なお、反射型偏光板１１は、外光Ｌ２ａの第一直線偏光の成分を１００％から反射型偏光板１１の偏光反射率を減じた割合だけ透過する。このため、反射型偏光板１１を透過した外光には、外光Ｌ２ｂ以外に、外光Ｌ２ａの第一直線偏光の成分が含まれる場合がある。
【００３２】
以上説明したように、ヘッドアップディスプレイ装置１１０においては、搭乗者の位置に到達する画像光Ｌ１ｂの偏光状態は、第一直線偏光であり、搭乗者４０の位置に到達する外光Ｌ２ｂの偏光状態は、第二直線偏光である。偏光サングラスが第一直線偏光の光、及び、第二直線偏光の光の一方をカットする特性を有する場合、偏光サングラスをかけた搭乗者４０は、画像光Ｌ１ｂ及び外光Ｌ２ｂの一方を視認できない。
【００３３】
これに対し、上記図２に示されるように、本実施の形態によるヘッドアップディスプレイ装置１０においては、搭乗者４０の位置に到達する画像光Ｌ３ｄの偏光状態、及び、外光Ｌ４ｃの偏光状態は、いずれも円偏光となる。まず、ヘッドアップディスプレイ装置１０における、画像光の偏光状態について図２を参照しながら説明する。
【００３４】
ヘッドアップディスプレイ装置１０は、ヘッドアップディスプレイ装置１１０に第一波長板１３が追加された構成を有する。液晶表示部１２が発する画像光Ｌ３ａの偏光状態は、第一方向を偏光方向とする第一直線偏光であり、画像光Ｌ３ａは、第一波長板１３に入射する。
【００３５】
第一波長板１３は、画像光Ｌ３ａの進行方向から見た場合に、当該第一波長板１３の光学軸が第一方向と４５度異なるような姿勢で配置されている。そうすると、第一波長板１３に入射する画像光Ｌ３ａは直線偏光の偏光状態から円偏光に変換され、円偏光の画像光Ｌ３ｂとして第一波長板１３から出ていくこととなる。第一波長板１３を透過した画像光Ｌ３ｂは、反射型偏光板１１に入射する。つまり、第一波長板１３を透過した後反射型偏光板１１に入射する画像光の偏光状態は、円偏光である。なお、波長板の光学軸とは、波長板の進相軸及び遅相軸の総称をいう。
【００３６】
反射型偏光板１１は、第一波長板１３から出射された円偏光の画像光Ｌ３ｂのうち第一直線偏光の成分である画像光Ｌ３ｃを反射型偏光板１１の偏光反射率に応じて反射し、この反射された画像光Ｌ３ｃは、第一波長板１３に入射する。つまり、反射型偏光板１１によって反射された画像光Ｌ３ｂの少なくとも一部である画像光Ｌ３ｃは、直線偏光の偏光状態で第一波長板１３に入射する。第一波長板１３に入射する画像光Ｌ３ｃは直線偏光の偏光状態から円偏光に変換され、円偏光の画像光Ｌ３ｄとして第一波長板１３から出ていくこととなる。この結果、第一波長板１３からは円偏光の画像光Ｌ３ｄが出射される。
【００３７】
このように、ヘッドアップディスプレイ装置１０においては、搭乗者４０の位置に到達する画像光Ｌ３ｄの偏光状態は、円偏光である。つまり、ヘッドアップディスプレイ装置１０において、液晶表示部１２が発する画像光Ｌ３ａの一部は、第一波長板１３を透過した後に反射型偏光板１１によって反射され、再び第一波長板１３を透過することにより、第一直線偏光から円偏光に変換されて搭乗者４０の位置に到達する。
【００３８】
次に、本実施の形態によるヘッドアップディスプレイ装置１０における、外光の偏光状態について説明する。反射型偏光板１１は、ウインドシールド２１に入射する外光Ｌ４ａの一部を透過する。外光Ｌ４ａの偏光状態は、ランダムであり、反射型偏光板１１は、外光Ｌ４ａのうち第二方向を偏光方向とする第二直線偏光の成分である外光Ｌ４ｂを透過する。なお、反射型偏光板１１は、外光Ｌ４ａの第一直線偏光の成分を、１００％から反射型偏光板１１の偏光反射率を減じた割合だけ透過する。つまり、反射型偏光板１１を透過した外光には、外光Ｌ４ｂ以外に、外光Ｌ４ａの第一直線偏光の成分が含まれる場合がある。
【００３９】
外光Ｌ４ｂは、直線偏光の偏光状態で第一波長板１３に入射する。ここで、第一波長板１３は、外光Ｌ４ｂの進行方向から見た場合に、当該第一波長板１３の光学軸が第二方向と４５度異なるような姿勢で配置されている。そうすると、第一波長板１３からは円偏光の外光Ｌ４ｃが出射される。
【００４０】
このように、ヘッドアップディスプレイ装置１０においては、搭乗者４０の位置に到達する外光Ｌ４ｃの偏光状態は、円偏光である。つまり、外光Ｌ４ａの一部は、ウインドシールド２１、反射型偏光板１１、及び、第一波長板１３を透過することにより、円偏光の状態で搭乗者４０の位置に到達する。
【００４１】
以上説明したように、ヘッドアップディスプレイ装置１０においては、搭乗者の位置に到達する画像光Ｌ３ｄの偏光状態、及び、搭乗者４０の位置に到達する外光Ｌ４ｂの偏光状態は、いずれも円偏光である。したがって、偏光サングラスをかけた搭乗者４０は、画像光Ｌ１ｂ及び外光Ｌ２ｂのいずれも視認することができる。つまり、ヘッドアップディスプレイ装置１０によれば、偏光サングラスをかけた搭乗者の画像及び景色の視認性を両立させることができる。
【００４２】
なお、画像光Ｌ３ｄの偏光状態、及び、外光Ｌ４ｂの偏光状態は、いずれも円偏光であるが、楕円偏光であってもよい。例えば、製造誤差等により、第一波長板１３の光学軸と第一方向とのなす角度が４５度でない場合などには、画像光Ｌ３ｄの偏光状態、及び、外光Ｌ４ｂの偏光状態は、楕円偏光となる。この場合も、画像及び景色の視認性を両立させることができる効果は得られる。
【００４３】
また、第一波長板１３は、２分の１波長板であってもよい。この場合、第一波長板１３の光学軸と第一方向とのなす角度が４５度になると、第一波長板１３は、入射した第一直線偏光の光を第二直線偏光の光に変換してしまう。このため、第一波長板１３が２分の１波長板である場合、第一波長板１３の光学軸と第一方向とのなす角度は、４５度以外の角度とされる。第一波長板１３が２分の１波長板である場合、画像光Ｌ３ｄの偏光状態、及び、外光Ｌ４ｂの偏光状態は、楕円偏光となる。
【００４４】
なお、第一波長板１３がどのような波長板であっても第一波長板１３の光学軸と第一方向とのなす角度が０度または９０度になると、画像光または外光を円偏光または楕円偏光に変換できないため、画像及び景色の視認性を両立させることができる効果が得られない。
【００４５】
（実施の形態２）
［構成］
実施の形態２では、画像光の利用効率を向上することができるヘッドアップディスプレイ装置について説明する。図５は、実施の形態２に係るヘッドアップディスプレイ装置の詳細構成を示す図である。なお、以下の実施の形態２では、実施の形態１との相違点を中心に説明が行われ、既出事項については説明が書略される。
【００４６】
図５に示されるヘッドアップディスプレイ装置１０ａは、反射型偏光板１１と、液晶表示部１２と、第一波長板１３と、第二波長板１５とを備える。つまり、ヘッドアップディスプレイ装置１０ａは、ヘッドアップディスプレイ装置１０に第二波長板１５が追加された構成を有する。
【００４７】
第二波長板１５は、画像光に入射する入射光の互いに直交する２つの偏光成分に位相差を与えるシート状の光学素子である。第二波長板１５は、液晶表示部１２から反射型偏光板１１へ向かう画像光の光路上に位置し、反射型偏光板１１から搭乗者４０の位置へ向かう画像光の光路上には位置しない。同様に、第二波長板１５は、車両２０の外部から車両２０の内部の搭乗者４０の位置へ向かう外光の光路上には位置しない。ヘッドアップディスプレイ装置１０ａにおいては、第二波長板１５は、液晶表示部１２及び第一波長板１３の間に位置するが、ミラーなどの光学素子が配置されることにより、第二波長板１５が液晶表示部１２及び第一波長板１３の間に位置しなくてもよい。
【００４８】
第二波長板１５は、例えば、画像光の互いに直交する２つの偏光成分に４分の１波長の位相差を与える４分の１波長板である。第二波長板１５は、画像光の互いに直交する２つの偏光成分に２分の１波長の位相差を与える２分の１波長板など、その他の波長板であってもよい。図５に示す例では、第二波長板１５は、第一波長板１３と同じ大きさの位相差を画像光に与え、且つ、位相差の極性が第一波長板１３と逆になるように組み合わされている。
【００４９】
図５では、液晶表示部１２及び第二波長板１５の間には隙間が設けられている。しかしながら、液晶表示部１２及び第二波長板１５は、接着部材により隙間なく接着されてもよい。
【００５０】
［偏光状態］
次に、ヘッドアップディスプレイ装置１０ａにおける画像光の偏光状態について引き続き図５を参照しながら説明する。なお、反射型偏光板１１を透過し搭乗者４０に向かう外光は、第二波長板１５には入射しない。このため、反射型偏光板１１を透過し搭乗者４０に向かう外光の偏光状態についてはヘッドアップディスプレイ装置１０と同様であるため、外光の偏光状態についての説明は省略される。
【００５１】
液晶表示部１２が発する画像光Ｌ５ａの偏光状態は、第一方向を偏光方向とする第一直線偏光であり、画像光Ｌ５ａは、第二波長板１５に入射する。
【００５２】
第二波長板１５は、画像光Ｌ５ａの進行方向から見た場合に、当該第二波長板１５の光学軸が第一方向と４５度異なる。そうすると、第二波長板１５に入射する画像光Ｌ５ａは直線偏光の偏光状態から円偏光に変換され、円偏光の画像光Ｌ５ｂとして第一波長板１３から出ていくこととなる。第二波長板１５を透過した画像光Ｌ５ｂは、第一波長板１３に入射する。
【００５３】
第一波長板１３は、画像光Ｌ５ｂの進行方向から見た場合に、当該第一波長板１３の光学軸が第一方向と４５度異なり、かつ、位相差の極性が第二波長板１５と逆になるような姿勢で配置されている。そうすると、第二波長板１５を透過し第一波長板１３に入射した円偏光の画像光Ｌ５ｂは、第二波長板１５で変更された位相差の分だけ第一波長板１３で逆に戻されて、第一直線偏光の画像光Ｌ５ｃに変換される。つまり、第一波長板１３を透過する画像光Ｌ５ｃは、第一直線偏光である。第一波長板１３を透過した画像光Ｌ５ｃは、反射型偏光板１１に入射する。
【００５４】
反射型偏光板１１は、第一波長板１３から出射された第一直線偏光の画像光Ｌ５ｃを反射型偏光板１１の偏光反射率に応じて画像光Ｌ５ｄとして反射する。ヘッドアップディスプレイ装置１０ａにおいては、反射型偏光板１１に入射する画像光Ｌ５ｃが第一直線偏光であるため、画像光のロスが抑制される。つまり、ヘッドアップディスプレイ装置１０ａは、画像光の利用効率を向上することができる。
【００５５】
反射型偏光板１１によって反射された画像光Ｌ５ｄはその後、第一波長板１３に入射する。この結果、第一波長板１３からは円偏光の画像光Ｌ５ｅが出射される。
【００５６】
以上説明したように、本実施の形態によるヘッドアップディスプレイ装置１０においては、搭乗者の位置に到達する画像光Ｌ５ｅの偏光状態、及び、搭乗者４０の位置に到達する外光Ｌ４ｃの偏光状態は、いずれも円偏光である。したがって、偏光サングラスをかけた搭乗者４０は、画像光Ｌ５ｅ及び外光Ｌ４ｃのいずれも視認することができる。つまり、ヘッドアップディスプレイ装置１０によれば、偏光サングラスをかけた搭乗者の画像及び景色の視認性を両立させることができる。
【００５７】
なお、上記のようなヘッドアップディスプレイ装置１０ａの構成は一例である。例えば、第一波長板１３は、画像光Ｌ５ｂの進行方向から見た場合に、当該第一波長板１３の光学軸が第一方向と４５度異なり、かつ、位相差の極性が第二波長板１５と同じになるような姿勢で配置されていてもよい。この場合、第一波長板１３からは第一直線偏光ではなく第二直線偏光の画像光Ｌ５ｃが出射されるため、反射型偏光板１１は、第二直線偏光の画像光を反射するような姿勢で配置されればよい。
【００５８】
また、画像光Ｌ５ｅの偏光状態は、楕円偏光であってもよい。例えば、製造誤差等により、第二波長板１５の光学軸と第一方向とのなす角度、及び、第一波長板１３の光学軸と第一方向とのなす角度のそれぞれが４５度でない場合などには、画像光Ｌ５ｅの偏光状態は、楕円偏光となる。この場合も、画像及び景色の視認性を両立させることができる効果は得られる。
【００５９】
また、反射型偏光板１１に入射する画像光Ｌ５ｃは、第二波長板１５及び第一波長板１３によって実質的に第一直線偏光になればよく、厳密に第一直線偏光となる必要はない。画像光Ｌ５ｃが第一直線偏光に近づけられれば、画像光の利用効率を高める効果が得られる。
【００６０】
また、ヘッドアップディスプレイ装置１０ａにおいて、第一波長板１３は、２分の１波長板であってもよく、この場合、第二波長板１５は、２分の１波長板であり、位相差の極性が第一波長板１３と逆になるような姿勢で配置される。第一波長板１３及び第二波長板１５が２分の１波長板である場合、画像光Ｌ５ｅの偏光状態は、楕円偏光となる。
【００６１】
（実施の形態３）
実施の形態３では、外光の透過率を向上することができるヘッドアップディスプレイ装置について説明する。
【００６２】
反射型偏光板１１においては、外光の透過率、及び、画像光の反射率はトレードオフの関係にあり、画像光の反射率を確保しつつ、外光の透過率を向上させることは難しい。
【００６３】
そこで、発明者は、反射型偏光板１１の画像光の反射率に波長依存特性を付与する構成を見出した。以下、実施の形態３として、波長依存特性を有する反射型偏光板１１について説明する。
【００６４】
まず、一般的な反射型偏光板１１の詳細な構成について説明する。例えば、反射型偏光板１１が多層複屈折フィルムである場合、反射型偏光板１１は、赤色光を反射する赤色反射層、緑色光を反射する緑色反射層、及び、青色光を反射する青色反射層が積層されることにより作製される。赤色反射層、緑色反射層、及び、青色反射層のそれぞれは、高屈折率層及び低屈折率層の積層構造体が何層も重ねられた構造を有する。赤色反射層、緑色反射層、及び、青色反射層のそれぞれは、積層構造体の厚み、及び、積層数などが調整されることにより、反射帯域がブロードになるように作製される。この結果、赤色光を反射する赤色反射層、緑色光を反射する緑色反射層、及び、青色光を反射する青色反射層が積層された反射型偏光板１１は、可視光域ではほぼ一定の反射率を有する。
【００６５】
ところで、図６に示されるように、液晶パネル１２ｂのカラーフィルタ１２ｃは、青色波長域、緑色波長域、及び、赤色波長域の３つの波長域のそれぞれに透過ピークｐｂ、透過ピークｐｇ、及び、透過ピークｐｒを有している。図６は、カラーフィルタ１２ｃの透過率を示す図である。カラーフィルタ１２ｃの透過率は、青色波長域と緑色波長域との間の波長域、及び、緑色波長域と赤色波長域との間の波長域において低くなる。これらのカラーフィルタ１２ｃの透過率が低い波長域においては、反射型偏光板１１の反射率が低くなっても画像光の明るさ及び色彩への影響は小さいと考えられる。
【００６６】
そこで、図７に示されるような波長依存特性を有する反射型偏光板１１が用いられれば、画像光の反射率を確保しつつ（つまり、画像光の明るさを確保しつつ）、外光の透過率を向上させることができる。図７は、波長依存特性を有する反射型偏光板１１の、画像光の反射率（図７の（ａ））、及び、外光の透過率（図７の（ｂ））を示す図である。なお、図７は、イメージ図であり、例えば、波長依存特性を有する反射型偏光板１１の反射率は、実際には、図８に示されるように非線形な特性となる。図８は、波長依存特性を有する反射型偏光板１１の、画像光の反射率を示す別の図である。
【００６７】
図７において破線で示される反射率Ｒ１及び透過率Ｔ１は、波長依存特性を有していない一般的な反射型偏光板１１のものであり、実線で示される反射率Ｒ２及び透過率Ｔ２は、波長依存特性を有する反射型偏光板１１のものである。
【００６８】
図７の（ａ）に示されるように、波長依存特性を有する反射型偏光板１１の反射率Ｒ２は、青色波長域Ｗｂ、緑色波長域Ｗｇ、及び、赤色波長域Ｗｒのそれぞれにおいて反射ピークを有する。波長依存特性を有する反射型偏光板１１の反射率Ｒ２は、青色波長域Ｗｂ、緑色波長域Ｗｇ、及び、赤色波長域Ｗｒのそれぞれにおいて、例えば、５０％以上、より詳細には８０％以上となる。
【００６９】
青色波長域Ｗｂは、例えば、４２０ｎｍ以上４６０ｎｍ以下の波長域であり、緑色波長域Ｗｇは、例えば、５２０ｎｍ以上５６０ｎｍ以下の波長域であり、赤色波長域Ｗｒは、例えば、６２０ｎｍ以上６６０ｎｍ以下の波長域である。なお、青色波長域Ｗｂ、緑色波長域Ｗｇ、及び、赤色波長域Ｗｒのそれぞれには、カラーフィルタ１２ｃの透過ピーク波長も含まれる。
【００７０】
一方、波長依存特性を有する反射型偏光板１１の反射率Ｒ２は、青色波長域と緑色波長域との間の波長域Ｗｃ、及び、緑色波長域と赤色波長域との間の波長域Ｗｙにおいて低くなる。波長依存特性を有する反射型偏光板１１の反射率Ｒ２は、例えば、波長域Ｗｃ及び波長域Ｗｙのそれぞれにおいて２０％以下、より詳細には１０％以下となる。波長域Ｗｃは、例えば、４８０ｎｍ以上５００ｎｍ以下の波長域であり、波長域Ｗｙは、例えば、５８０ｎｍ以上６００ｎｍ以下の波長域である。
【００７１】
そうすると、図７の（ｂ）に示されるように、波長域Ｗｃ、及び、波長域Ｗｙにおいては、透過率Ｔ２が向上される。透過率Ｔ２は、例えば、波長域Ｗｃ、及び、波長域Ｗｙのそれぞれにおいて５０％以上、より詳細には８０％以上となる。これにより、波長依存特性を有する反射型偏光板１１の透過率Ｔ２の平均は、一般的な反射型偏光板１１の透過率Ｔ１よりも向上する。
【００７２】
以上説明したように、波長依存特性を有する反射型偏光板１１の、カラーフィルタ１２ｃの透過ピーク波長を含む第一波長域（例えば、青色波長域Ｗｂ、緑色波長域Ｗｇ、及び、赤色波長域Ｗｒ）における画像光の反射率は、第一波長域以外の第二波長域（例えば、波長域Ｗｃ及び波長域Ｗｙ）における画像光の反射率よりも高い。また、波長依存特性を有する反射型偏光板１１の、第二波長域における外光の透過率は、第一波長域における外光の透過率よりも高い。
【００７３】
このような波長依存特性を有する反射型偏光板１１がヘッドアップディスプレイ装置１０に用いられれば、ヘッドアップディスプレイ装置１０は、画像光の明るさを確保しつつ、外光の透過率を向上させることができる。
【００７４】
ところで、波長依存特性を有する反射型偏光板１１は、光の入射角に応じて反射率の高い波長域が変動する場合がある。したがって、カラーフィルタ１２ｃの透過ピークが鋭い場合には、反射型偏光板１１の配置のずれなどにより、適切な色の画像が表示されない可能性がある。そこで、カラーフィルタ１２ｃの透過ピークの半値幅は、反射型偏光板１１の反射ピークの半値幅よりも広く構成されるとよい。例えば、図６に示されるカラーフィルタ１２ｃの青色光の透過ピークｐｂの半値幅ｆｂは、図８に示される反射型偏光板１１の青色光の反射ピークＰｂの半値幅Ｆｂよりも広く構成される。なお、透過ピークｐｂのピーク波長、及び、反射ピークＰｂのピーク波長は、例えば、実質的に同一であるが、異なってもよい。緑色光の透過ピークｐｇ及び反射ピークＰｇ、及び、赤色光の透過ピークｐｒ及び反射ピークＰｒについても同様である。
【００７５】
以上のように、カラーフィルタ１２ｃの透過ピークがブロードであれば、反射型偏光板１１の配置のずれなどによって適切な色の画像が表示されないことを抑制することができる。
【００７６】
（まとめ）
以上説明したように、ヘッドアップディスプレイ装置１０は、車両２０が備えるウインドシールド２１の内面に取り付けられる反射型偏光板１１と、画像光を発する液晶表示部１２と、第一波長板１３とを備える。車両２０は、移動体の一例である。反射型偏光板１１は、ウインドシールド２１に入射する外光の一部を透過し、かつ、画像光の少なくとも一部を反射する。反射型偏光板１１を透過した外光の一部、及び、反射型偏光板１１によって反射された画像光の少なくとも一部は、いずれも、第一波長板１３を透過する。
【００７７】
これにより、反射型偏光板１１を透過した外光、及び、反射型偏光板１１によって反射された画像光が第一波長板１３を透過することにより楕円偏光または円偏光の偏光状態にされれば、偏光サングラスをかけた搭乗者４０には、画像光及び外光がいずれも楕円偏光または円偏光の偏光状態で到達する。したがって、偏光サングラスをかけた搭乗者４０は、第一波長板１３を透過した画像光及び外光のいずれも視認することができる。つまり、ヘッドアップディスプレイ装置１０によれば、偏光サングラスをかけた搭乗者４０の画像及び景色の視認性を両立させることができる。
【００７８】
また、例えば、反射型偏光板１１を透過した外光の一部、及び、反射型偏光板１１によって反射された画像光の少なくとも一部のそれぞれは、直線偏光の偏光状態で第一波長板１３に入射する。
【００７９】
これにより、反射型偏光板１１を透過した直線偏光の外光、及び、反射型偏光板１１によって反射された直線偏光の画像光が第一波長板１３を透過することにより楕円偏光または円偏光にされれば、偏光サングラスをかけた搭乗者４０には、画像光及び外光がいずれも楕円偏光または円偏光の偏光状態で到達する。したがって、偏光サングラスをかけた搭乗者４０は、画像光及び外光のいずれも視認することができる。つまり、ヘッドアップディスプレイ装置１０によれば、搭乗者４０が偏光サングラスをかけた搭乗者４０の画像及び景色の視認性を両立させることができる。
【００８０】
また、例えば、液晶表示部１２が発する画像光は、第一波長板１３を透過した後反射型偏光板１１に入射し、少なくとも一部が反射型偏光板１１によって反射された後第一波長板１３を透過する。
【００８１】
これにより、第一波長板１３を透過した画像光が反射型偏光板１１における反射によって直線偏光に変換された後、再度第一波長板１３を透過することによって楕円偏光または円偏光にされれば、偏光サングラスをかけた搭乗者４０には、画像光が楕円偏光または円偏光の偏光状態で到達する。したがって、偏光サングラスをかけた搭乗者４０は、画像光を確実に視認することができる。また、このような構成は、第一波長板１３によって実現可能であるため、第一波長板１３及び第二波長板１５の両方が用いられる構成に比べ、部品点数を低減し、コストを削減することができる。
【００８２】
また、例えば、液晶表示部１２が発する画像光の偏光状態は、直線偏光であり、第一波長板１３を透過した後反射型偏光板１１に入射する画像光の偏光状態は、楕円偏光または円偏光である。
【００８３】
これにより、反射型偏光板１１によって反射された直線偏光の画像光が第一波長板１３を透過することにより楕円偏光または円偏光にされれば、偏光サングラスをかけた搭乗者４０には、画像光が楕円偏光または円偏光の偏光状態で到達する。したがって、偏光サングラスをかけた搭乗者４０は、画像光を確実に視認することができる。
【００８４】
また、ヘッドアップディスプレイ装置１０ａは、第二波長板１５を備える。液晶表示部１２が発する画像光は、第二波長板１５を透過した後第一波長板１３を透過し、第一波長板１３を透過した後反射型偏光板１１に入射し、少なくとも一部が反射型偏光板１１によって反射された後第一波長板１３を透過する。
【００８５】
これにより、第一波長板１３及び第二波長板１５によって反射型偏光板１１に入射する画像光が反射型偏光板１１における反射に適した直線偏光に変換されれば、画像光の大半が反射型偏光板１１において反射されるため、画像光の利用効率が向上される。
【００８６】
また、例えば、液晶表示部１２が発する画像光の偏光状態は、直線偏光であり、第二波長板１５を透過した画像光の偏光状態は、楕円偏光または円偏光であり、第一波長板１３を透過した後反射型偏光板１１に入射する画像光の偏光状態は、直線偏光である。
【００８７】
これにより、第一波長板１３及び第二波長板１５によって反射型偏光板１１に入射する画像光が反射型偏光板１１における反射に適した直線偏光に変換されれば、画像光の大半が反射型偏光板１１において反射されるため、画像光の利用効率が向上される。
【００８８】
また、例えば、第一波長板１３を透過した外光の一部の偏光状態、及び、第一波長板１３を透過した画像光の少なくとも一部の偏光状態のそれぞれは、楕円偏光である。
【００８９】
これにより、偏光サングラスをかけた搭乗者４０には、画像光及び外光がいずれも楕円偏光の偏光状態で到達する。したがって、偏光サングラスをかけた搭乗者４０は、第一波長板１３を透過した画像光及び外光のいずれも視認することができる。つまり、ヘッドアップディスプレイ装置１０によれば、偏光サングラスをかけた搭乗者４０の画像及び景色の視認性を両立させることができる。
【００９０】
また、例えば、第一波長板１３を透過した外光の一部の偏光状態、及び、第一波長板１３を透過した画像光の少なくとも一部の偏光状態のそれぞれは、円偏光である。
【００９１】
これにより、偏光サングラスをかけた搭乗者４０には、画像光及び外光がいずれも円偏光の偏光状態で到達する。したがって、偏光サングラスをかけた搭乗者４０は、第一波長板１３を透過した画像光及び外光のいずれも視認することができる。つまり、ヘッドアップディスプレイ装置１０によれば、偏光サングラスをかけた搭乗者４０の画像及び景色の視認性を両立させることができる。
【００９２】
また、例えば、第一波長板１３は、２分の１波長板である。
【００９３】
これにより、ヘッドアップディスプレイ装置１０は、２分の１波長板を用いて搭乗者４０が視認する外光及び画像光を楕円偏光に変換することができる。
【００９４】
また、例えば、第一波長板１３は、４分の１波長板である。
【００９５】
これにより、ヘッドアップディスプレイ装置１０は、４分の１波長板を用いて搭乗者４０が視認する外光及び画像光を円偏光または楕円偏光に変換することができる。
【００９６】
また、例えば、ヘッドアップディスプレイ装置１０は、さらに、反射型偏光板１１及び第一波長板１３の間に位置し、反射型偏光板１１及び第一波長板１３を接着する接着部材１４ａを備える。
【００９７】
これにより、反射型偏光板１１及び第一波長板を一体的に形成することができ、反射型偏光板１１と第一波長板１３の間に空気層があるような場合に比べて界面における光の反射が抑制されるため、光の利用効率が向上される。
【００９８】
また、例えば、反射型偏光板１１は、多層複屈折フィルムである。
【００９９】
これにより、多層複屈折フィルムを含む光学系によってヘッドアップディスプレイ装置１０を実現することができる。
【０１００】
また、例えば、液晶表示部１２は、バックライト１２ａと、バックライト１２ａが発する光を空間的に変調させカラーフィルタ１２ｃを介して画像光として出射させる液晶パネル１２ｂとを備える。反射型偏光板１１の、カラーフィルタ１２ｃの透過ピーク波長を含む第一波長域における画像光の反射率は、反射型偏光板１１の、第一波長域以外の第二波長域における画像光の反射率よりも高い。反射型偏光板１１の第二波長域における外光の透過率は、第一波長域における外光の透過率よりも高い。上記図７の（ｂ）では、第一波長域は、青色波長域Ｗｂ、緑色波長域Ｗｇ、及び、赤色波長域Ｗｒであり、第二波長域は、波長域Ｗｃ及び波長域Ｗｙである。
【０１０１】
これにより、第二波長域における外光の透過率が第一波長域における外光の透過率よりも向上されるため、第二波長域における外光の透過率が第一波長域における外光の透過率と同じ場合よりも外光の平均的な透過率を向上することができる。
【０１０２】
また、例えば、反射型偏光板１１は、第一波長域において反射ピークを有し、カラーフィルタ１２ｃの透過ピークの半値幅は、反射型偏光板１１の反射ピークの半値幅よりも広い。例えば、上記図６及び図８を比較すると、カラーフィルタ１２ｃの青色光の透過ピークｐｂの半値幅ｆｂは、図８に示される反射型偏光板１１の青色光の反射ピークの半値幅Ｆｂよりも広い。
【０１０３】
これにより、カラーフィルタ１２ｃの透過ピークの半値幅が比較的広いため、反射型偏光板１１の配置のずれなどによって、カラーフィルタ１２ｃの透過ピーク波長が反射型偏光板１１の反射ピーク波長に対してずれた場合の影響を低減することができる。つまり、このような反射型偏光板１１を備えるヘッドアップディスプレイ装置１０は、適切な色の画像が表示されないことを抑制することができる。
【０１０４】
また、例えば、反射型偏光板１１は、ワイヤグリッド偏光板である。
【０１０５】
これにより、ワイヤグリッド偏光板を含む光学系によってヘッドアップディスプレイ装置１０を実現することができる。
【０１０６】
また、例えば、反射型偏光板１１は、４２０ｎｍ以上４６０ｎｍ以下の波長域の反射率が８０％以上であり、５２０ｎｍ以上５６０ｎｍ以下の波長域の反射率が８０％以上であり、６２０ｎｍ以上６６０ｎｍ以下の波長域の反射率が８０％以上である。
【０１０７】
これにより、これら３つの波長域がカラーフィルタ１２ｃの透過域に対応していれば、画像光の光量を確保することができる。そうすると、反射型偏光板１１において上記３つの波長域以外の波長域で反射率が下げられることで、上記３つの波長域以外の波長域の外光の透過率を向上させることができる。つまり、このような反射型偏光板１１を備えるヘッドアップディスプレイ装置１０は、外光の透過率を向上することができる。
【０１０８】
また、例えば、反射型偏光板１１は、４８０ｎｍ以上５００ｎｍ以下の波長域の透過率が８０％以上であり、５８０ｎｍ以上６００ｎｍ以下の波長域の透過率が８０％以上である。
【０１０９】
これにより、これら２つの波長域がカラーフィルタ１２ｃの透過域への影響が少ない波長域であれば、画像光の光量を確保しつつ外光の透過率を向上させることができる。つまり、このような反射型偏光板１１を備えるヘッドアップディスプレイ装置１０は、外光の透過率を向上することができる。
【０１１０】
（その他の実施の形態）
以上、実施の形態に係るヘッドアップディスプレイ装置について説明したが、本開示は、上記実施の形態に限定されるものではない。
【０１１１】
例えば、上記実施の形態では、車両に取り付けられるヘッドアップディスプレイ装置について説明されたが、ヘッドアップディスプレイ装置は、車両以外の移動体に用いられてもよい。例えば、ヘッドアップディスプレイ装置は、船舶または飛行機などの移動体に用いられてもよい。
【０１１２】
また、ヘッドアップディスプレイ装置は、本開示の特徴的な機能を実現できる範囲で、上記実施の形態で説明された光学素子以外の光学素子を備えてもよい。例えば、ヘッドアップディスプレイ装置は、レンズ、ミラー、及び、光学フィルタなどを備えてもよい。
【０１１３】
その他、各実施の形態に対して当業者が思いつく各種変形を施して得られる形態、または、本開示の趣旨を逸脱しない範囲で各実施の形態における構成要素及び機能を任意に組み合わせることで実現される形態も本開示に含まれる。
【符号の説明】
【０１１４】
１０、１０ａ  ヘッドアップディスプレイ装置
１１  反射型偏光板
１２  液晶表示部
１２ａ  バックライト
１２ｂ  液晶パネル
１２ｃ  カラーフィルタ
１３  第一波長板
１４ａ、１４ｂ  接着部材
１５  第二波長板
２０  車両
２１  ウインドシールド
２２  ダッシュボード
３０  画像
４０  搭乗者
１１０  ヘッドアップディスプレイ装置
ｆｂ、Ｆｂ  半値幅
Ｌ１ａ、Ｌ１ｂ、Ｌ３ａ〜Ｌ３ｄ、Ｌ５ａ〜Ｌ５ｅ  画像光
Ｌ２ａ、Ｌ２ｂ、Ｌ４ａ〜Ｌ４ｃ  外光
ｐｂ、ｐｇ、ｐｒ  透過ピーク
Ｐｂ、Ｐｇ、Ｐｒ  反射ピーク
Ｒ１、Ｒ２  反射率
Ｔ１、Ｔ２  透過率
Ｗｂ  青色波長域
Ｗｃ、Ｗｙ  波長域
Ｗｇ  緑色波長域
Ｗｒ  赤色波長域
【図１】
2019113631.tif 000003
【図２】
2019113631.tif 000004
【図３】
2019113631.tif 000005
【図４】
2019113631.tif 000006
【図５】
2019113631.tif 000007
【図６】
2019113631.tif 000008
【図７】
2019113631.tif 000009
【図８】
2019113631.tif 000010